(57)【要約】【課題】    人体や環境に対して有害であるとされるプラスイオンの発生を抑制しながら多量のマイナスイオンを長期間にわたって安定して発生することにより、人体や環境に対して優れたマイナスイオン効果を奏することができ、健康器具、化粧品、寝具、家具、自動車用品、建材、陶磁器等、あらゆる製品に適用することが可能なマイナスイオン発生組成物並びに該組成物を用いたマイナスイオン発生シート及び化粧品を提供すること。【解決手段】  常温静止状態であっても多量のマイナスイオンを発生するセラミックス粉末と、遠赤外線を放出するとともにプラスイオン吸着効果を有する炭粉末とを組み合わせることによって、セラミック粉末からマイナスイオンと同時に放出されるプラスイオンを炭粉末によって吸着除去して、マイナスイオンのみを多量に放出できるようにするとともに、遠赤外線効果も同時に得られるようにする。【選択図】  図１
2005097407.tif 000002
【特許請求の範囲】
【請求項１】
セラミック粉末と、炭粉末とを含むことを特徴とするマイナスイオン発生組成物。
【請求項２】
セラミック粉末１００重量部に対して、炭粉末が１〜１００重量部含まれていることを特徴とする請求項１記載のマイナスイオン発生組成物。
【請求項３】
セラミック粉末中に、酸化珪素と、酸化ジルコニウムと、酸化チタンとを含有することを特徴とする請求項１または２に記載のマイナスイオン発生組成物。
【請求項４】
炭粉末が、炭化率９０％以上、比表面積１７００ｃｍ2／ｇ以上の椰子殻活性炭粒子からなることを特徴とする請求項１から３のいずれかに記載のマイナスイオン発生組成物。
【請求項５】
請求項１から４のいずれかに記載のマイナスイオン発生組成物を、２以上の多孔性シートが積層されてなる積層構造体の内部に充填してなることを特徴とするマイナスイオン発生シート。
【請求項６】
多孔性シートが、コルゲート加工されてなることを特徴とする請求項５に記載のマイナスイオン発生シート。
【請求項７】
表面が布製被覆材によって被覆されてなることを特徴とする請求項５または６に記載のマイナスイオン発生シート。
【請求項８】
請求項１から４のいずれかに記載のマイナスイオン発生組成物を含むことを特徴とする化粧品。
【発明の詳細な説明】
【技術分野】
【０００１】
本発明は、マイナスイオンを常温静止状態で多量に放出するとともに、プラスイオンの発生を抑制して、強力なマイナスイオン効果を得ることができるマイナスイオン発生組成物に関するものである。
【背景技術】
【０００２】
空気中に含まれる「マイナスイオン 」と呼ばれる負電荷を帯びたイオンが、人体や生活環境に対して有利な効果を奏することが知られている。そこで、このマイナスイオン効果に着目して、マイナスイオン発生体を用いた健康器具や寝具、家具等の製品が提供されている。従来より用いられているマイナスイオン発生体としては、例えば、トルマリン等の鉱石類、炭、活性炭がよく知られており、これらマイナスイオン発生体を応用した製品としては、例えば、木綿、不織布等の表裏２枚の通気性シート基材の間に、トルマリン鉱石の微粉末層（３）を接着剤を介して任意の間隔、かつ任意の平面形状で接着して成るトルマリン加工シートが公知である（特許文献１参照）。
【０００３】
しかしながら、トルマリンや炭、活性炭等の従来のマイナスイオン発生体は、いわゆる静止状態では微量なマイナスイオンしか発生せず、圧力や摩擦、熱などが加わらない限り自発的にマイナスイオンを発生しないという性質を有している。このため、 圧力や温度が加わらない製品に応用したとしても、極めて微量のマイナスイオンしか放出することができず、また、人体の自律神経等に悪影響を与えると言われるプラスイオンも同時に放出するため、実効性に乏しいものであった。
【０００４】
一方、一般にマイナスイオンセラミックスと称されて、常温静止状態であっても常時多量のマイナスイオンを発生するセラミック体が近年注目されている。このマイナスイオンを発生するセラミック体は、圧力や温度を加えなくても自発的にマイナスイオンを発生する点で従来のマイナスイオン発生体よりも優れている。マイナスイオンを発生するセラミックスを応用したマイナスイオン発生体としては、例えば、希土類元素を含む鉱物粉体を、樹脂に混入してなる樹脂組成物がある（特許文献２参照）。
【０００５】
しかしながら、上記のマイナスイオンセラミックスもまた、従来のマイナスイオン発生体と同様に、マイナスイオンと同時にプラスイオンも発生するため、十分なマイナスイオン効果が得られるには至っていなかった。
【特許文献１】特開平１０−９４５８０号公報（第２頁段落番号０００４〜０００８、図２）
【特許文献２】特開２００３−１４７２１５号公報
【発明の開示】
【発明が解決しようとする課題】
【０００６】
本発明は、人体や環境に対して有害であるとされるプラスイオンの発生を抑制しながら多量のマイナスイオンを長期間にわたって安定して発生することにより、人体や環境に対して優れたマイナスイオン効果を奏することができ、健康器具、化粧品、寝具、家具、自動車用品、建材、陶磁器等、あらゆる製品に適用することが可能なマイナスイオン発生組成物及び該組成物をを提供することを課題とするものである。
【課題を解決するための手段】
【０００７】
上記課題を解決するために、請求項１記載の発明が採った手段は、セラミック粉末と、炭粉末とを含むことを特徴とするマイナスイオン発生組成物である。
【０００８】
このマイナスイオン発生組成物、常温静止状態であっても多量のマイナスイオンを発生するセラミックス粉末と、遠赤外線を放出するとともにプラスイオン吸着効果を有する炭粉末とを組み合わせることによって、セラミック粉末からマイナスイオンと同時に放出されるプラスイオンを炭粉末によって吸着除去して、マイナスイオンのみを多量に放出できるようにするとともに、遠赤外線効果も同時に得られるようにしたものである。
【０００９】
また、請求項２記載の発明が採った手段は、セラミック粉末１００重量部に対して、炭粉末が１〜１００重量部含まれていることを特徴とする請求項１記載のマイナスイオン発生組成物である。
【００１０】
炭粉末をセラミック粉末１００重量部に対して１〜１００重量部の割合で含むことにより、プラスイオンの放出を効果的に抑制するとともに、人体や環境に対して最適な量のマイナスイオンを得ることができる。
【００１１】
また、請求項３記載の発明が採った手段は、セラミック粉末中に、酸化珪素と、酸化ジルコニウムと、酸化チタンとを含有することを特徴とする請求項１または２に記載のマイナスイオン発生組成物である。
【００１２】
酸化珪素と酸化ジルコニウムと酸化チタンとを含有するセラミック粉末を用いることで、マイナスイオンの自然放出性能をより高めることができる。
【００１３】
また、請求項４記載の発明が採った手段は、炭粉末が、炭化率９０％以上、比表面積１７００ｃｍ2／ｇ以上の椰子殻活性炭粒子であることを特徴とする請求項１から３のいずれかに記載のマイナスイオン発生組成物である。
【００１４】
炭粉末を椰子殻活性淡粒子とすることで、遠赤外線効果及び脱臭効果により優れたものとすることができる。
【００１５】
また、請求項５記載の発明が採った手段は、請求項１から４のいずれかに記載のマイナスイオン発生組成物１７を、２以上の多孔性シート１２、１３が積層されてなる積層構造体１４の内部に充填してなることを特徴とするマイナスイオン発生シート１１である。
【００１６】
このマイナスイオン発生シート１１は、２以上の多孔性シート１２、１３を積層して積層構造体１４を形成し、この積層構造体１４の内部１５に、請求項１から４に記載のマイナスイオン発生組成物１７を充填してシート状に形成し、マイナスイオン発生組成物１７の健康器具等への応用性を高めたものである。
【００１７】
また、請求項６記載の発明が採った手段は、多孔性シート１２が、コルゲート加工されてなることを特徴とする請求項５に記載のマイナスイオン発生シート１１である。
【００１８】
多孔性シート１２にコルゲート加工を施したものを用いることで、マイナスイオン発生シート１１に適度な可撓性、屈曲性を与えることができるようになる。
【００１９】
また、請求項７記載の発明が採った手段は、表面が布製被覆材によって被覆されてなることを特徴とする請求項５または６に記載のマイナスイオン発生シートである。
【００２０】
マイナスイオン発生シート１１を布製被覆材１８で被覆することにより、身体の所望の位置に当てられるように保持できるようになる。
【００２１】
また、請求項８記載の発明が採った手段は、請求項１から４のいずれかに記載のマイナスイオン発生組成物を含むことを特徴とする化粧品である。
【００２２】
請求項１から４に記載されるマイナスイオン発生組成物を、化粧品に含ませることで、マイナスイオンを経皮的に体内に取り込むことができるようになる。
【００２３】
なお、本発明における「化粧品」とは、化粧水、乳液、スキンクリーム、ヘアクリーム、マッサージジェル等の基礎化粧品や、石けん、頭髪用シャンプー、リンス、ボディーシャンプー、ハンドソープ、洗顔剤等の身体洗浄剤をいうものである。
【発明の効果】
【００２４】
請求項１に記載のマイナスイオン発生組成物によれば、セラミック粉末と炭粉末とを含むことによって、セラミック粉末により常温静止状態で多量のマイナスイオンが放出されるとともに、セラミック粉末からマイナスイオンと同時に放出されるプラスイオンが炭粉末により吸着除去されるので、両者が相乗的に作用してマイナスイオンを効果的に放出することができる。また、炭粉末による遠赤外線効果や脱臭効果もマイナスイオン効果と合わせて得られるので、健康回復や環境改善に優れた効果を奏することができる。
【００２５】
請求項２に記載のマイナスイオン発生組成物によれば、請求項１に記載のマイナスイオン発生組成物の効果に加えて、セラミック粉末１００重量部に対し、炭粉末を１〜１００重量部の割合で含むことにより、プラスイオンの放出を効果的に抑制するとともに、人体や環境に対して最適な量のマイナスイオンを得ることができるので、イオンバランスに優れたものとすることができる。
【００２６】
請求項３に記載のマイナスイオン発生組成物によれば、酸化珪素と、酸化ジルコニウムと、酸化チタンとを含有するセラミック粉末を用いることで、マイナスイオンの自然放出能に優れたものとすることができる。
【００２７】
請求項４に記載のマイナスイオン発生組成物によれば、炭粉末に炭化率９０％以上、比表面積１７００ｃｍ2／ｇ以上の椰子殻活性炭粒子を用いたことにより、遠赤外線効果及び脱臭効果により優れたものとすることができるので、人体や環境に対してより実効性に優れたものとすることができる。
【００２８】
請求項５に記載のマイナスイオン発生シートによれば、２以上の多孔性シートを積層してなる積層構造体の内部に、請求項１から４に記載のマイナスイオン発生組成物が充填されてなるので、健康器具等への応用が容易となる。そして、プラスイオンの放出を抑制しながら多量のマイナスイオンが常時放出されるとともに、遠赤外線が放出されるので、両者の相乗作用によって、免疫力向上、疲労回復等の生理的作用効果や、空気中の有害物質や悪臭の除去等の環境改善効果に優れた製品を提供することができる。さらに、製造が簡便に行えるので、製造コストを安価に押さえることができる。
【００２９】
請求項６に記載のマイナスイオン発生シートによれば、請求項５に記載のマイナスイオン発生シートの効果に加えて、多孔性シートにコルゲート加工されたものを用いたことにより、マイナスイオン発生シートに可撓性と屈曲性とを与えることができるので、身体に適用した場合、例えば、頭部、腰部、手首、足首などの身体に巻き付けるベルト等の健康器具に適用した場合に、身体に密着できるようになる。
【００３０】
請求項７に記載のマイナスイオン発生シートによれば、請求項５または６に記載のマイナスイオン発生シートの効果に加えて、表面を布製被覆材で被覆したことにより、頭部、腰部、手首、足首などの身体に巻き付けるベルト等に適用した場合に、身体の所望の位置に当てられるように保持できるようになる。
【００３１】
請求項８に記載の化粧品によれば、請求項１から４に記載のマイナスイオン発生組成物を含有することによって、身体に塗布等したときに、マイナスイオン発生組成物より放出されるマイナスイオンが経皮的に吸収されるので、肌を活性化して潤いや柔軟性を与えるだけでなく、美白効果にも優れた化粧品とすることができる。
【発明を実施するための最良の形態】
【００３２】
本発明に係るマイナスイオン発生組成物は、セラミック粉末と炭粉末とを含むものである。
【００３３】
セラミック粉末は、常温静止状態でマイナスイオンを放出しうるものであれば特に限定されるものではないが、マイナスイオンを効率的に発生できるように、含有する成分の種類や配合量を調整したり、焼成温度調節する等して作製したものを用いることが好ましい。配合成分としては、例えば、、第二酸化鉄（Ｆｅ２Ｏ３）、酸化アルミニウム（Ａｌ２Ｏ３）、リン酸（Ｐ２Ｏ５）、酸化マグネシウム（ＭｇＯ）、酸化カルシウム（ＣａＯ）等の金属酸化物や、蛇紋石（マグネシウムの含水ケイ酸塩鉱物）、絹雲母、電気石（トルマリン）、ゼオライト、セリサイト、水晶、医王石、メノウ、サファイア等の天然鉱石を成分とするものが挙げられ、中でも、天然鉱石より抽出された酸化ケイ素、酸化ジルコニウム及び酸化チタンを含有するものを用いることが好ましい。これら成分を含有するものは、マイナスイオンの自然放出量が特に多いからである。また、炭、活性炭、麦飯石等の粉末を混練して焼成したものを用いてもよい
炭粉末は、特に限定されるものではなく、例えば、木炭、竹炭、活性炭、カーボン等の粉末を用いることができる。このうち、脱臭効果、遠赤外線効果に優れる点から、活性炭粉末を用いることが好ましく、特には炭化率９０％以上、比表面積１７００ｍ2／ｇ以上の椰子殻活性炭粒子が好ましい。
【００３４】
セラミック粉末と、炭粉末との配合比は、特に限定されるものでなく、適用される製品に応じて適宜設定することができるが、セラミック粉末１００重量部に対して炭粉末を１〜１００重量部配合することが好ましい。炭粉末が１重量部より少ないとセラミック粉末からマイナスイオンと同時に放出されるプラスイオンを十分に吸着除去することができず、１００重量部より多くしても特に有利な効果を奏しないからである。
【００３５】
また、セラミック粉末及び炭粉末の粒子径についても特には限定されないが、いずれも３００μｍ以下のものを用いることが好ましい。特に、化粧品に適用する場合には、分散性や使用時におけるざらつき等を考慮して、セラミック粉末については０．１〜０．６μｍ、炭粉末については０．１〜０．２μｍのものを用いることが好ましい。
【００３６】
このように、セラミック粉末と炭粉末とから構成されるマイナスイオン発生組成物は、以下に詳述するマイナスイオン発生シートや化粧品の他、自動車用品、建材、陶磁器等にも適用することができる。
【００３７】
次に、本発明に係るマイナスイオン発生シートについて詳述する。
【００３８】
本発明に係るマイナスイオン発生シートは、２以上の多孔性シートを積層した積層構造体の内部に、上記のマイナスイオン発生組成物を充填したものである。
【００３９】
多孔性シートは、多孔質で通気性を有するものであるならば特に限定されないが、例えば不織布、紙、布などの繊維シートや、ポリテトラフルオロエチレンや高分子量ポリエチレンなどからなる種々の微多孔性膜を用いることができる。
【００４０】
また、多孔性シートは、コルゲート加工により積層一体化されて凹凸状の立体形状を呈したものを用いてもよい。コルゲート加工がされた多孔性シートを用いることで、マイナスイオン発生シートに可撓性及び屈曲性を備えることができるので、身体に適用する場合には、身体にフィットさせることができるようになる。多孔性シートにおけるコルゲート加工は、公知のコルゲートマシーンを使用して、このシートをコルゲートマシーンの段ロールに掛けることにより、そのシートがコルゲート加工される。
【００４１】
なお、多孔性シートには、例えば、銀、銅などの金属系抗菌成分をゼオライトなどの担体に担持させた無機系抗菌剤等の抗菌剤を含ませることもできる。多孔性シートに抗菌剤を含ませることで、後述する炭粉末による脱臭効果に加えて、抗菌剤が臭いの原因となる細菌の繁殖を抑制するので、より効果的な悪臭の除去ができるようになる。
【００４２】
この多孔性シートが、２以上積層されることにより積層構造体が形成される。積層構造体としては、１枚のフラットな多孔性シートにコルゲート加工された多孔性シートを一枚積層して一体化したものや、あるいは、１枚のフラットな多孔性シートの上下にコルゲート加工された２枚の多孔性シートを積層して一体化させたり、コルゲート加工された２枚多孔性シートを上下に積層して一体化させたりするなどの形態を採ることができる。
【００４３】
また、マイナスイオン発生シートは、その表面を布製被覆材で被覆してもよい。布製被覆材は、マイナスイオン発生シートを被覆した状態で、身体の所望の位置に当てられるように保持するものであり、身体に密着するようにフレキシブルであり、かつ通気性に優れるものが好ましい。具体的には、織物、編み物、不織布、フェルト、穴あきフィルムあるいはこれらの複合物を挙げることができる。また、上記した多孔性シートと同様に、布製被覆材にも抗菌剤を含ませるとよい。抗菌剤が臭いの原因となる細菌の繁殖を抑制するので、より効果的な悪臭の除去ができるようになるからである。
【００４４】
こうして形成されるマイナスイオン発生シートは、頭部、腰部、手首、足首などの身体に巻き付けるベルトのような健康具に適用することができる他、シーツ、枕等の寝具類や、ござ、マット、畳、カーペット等の敷物類、スリッパ、靴等の履物類に適用することが可能である。
【００４５】
次に、本発明に係るマイナスイオン発生シートの実施例を図に基づいて説明する。
【実施例１】
【００４６】
図１には、本実施例に係るマイナスイオン発生シート１１が示されている。
【００４７】
本実施例に係るマイナスイオン発生シート１１は、２枚の多孔性シート１２、１３が積層されてなる積層構造体１４の内部１５に、セラミック粉末と炭粉末とからなるマイナスイオン発生組成物が充填されてなる。
【００４８】
積層構造体１４を形成する２枚の多孔性シート１２、１３は、いずれも不織布からなり、フラットに形成されている。
【００４９】
そして、積層構造体１４の内部１５には、セラミック粉末と炭粉末としての椰子殻活性炭粒子とがそれぞれ２：１の割合で配合されてなるマイナスイオン発生組成物１７が充填される。
【００５０】
積層構造体１４に充填されるマイナスイオン発生組成物１７からは、セラミック粉末より常に微量の放射線が放出されており、この微量放射線が吸気中の水分と反応してマイナスイオンを発生することができる。
【００５１】
一方、椰子殻活性炭粒子からは、遠赤外線が発生しており、上記のセラミック粉末と椰子殻活性炭粒子とによって、空気中の有害物質や悪臭が除去され、また、身体に接触させて用いた場合には、多孔性シート１２、１３を通してマイナスイオン効果と遠赤外線効果とが身体に直接伝わって、生理機能を向上させるとともに、汗や体臭を除去することができるようになる。
【実施例２】
【００５２】
図２には、本実施例に係るマイナスイオン発生シート１１が示されている。本実施例に係るマイナスイオン発生シート１１は、実施例１と基本的には同様に構成されるが、身体に接触させて用いる場合に特に適するよう改良が加えられている。
【００５３】
すなわち、積層構造体１４を構成する２枚の多孔性シート１２、１３のうち、多孔性シート１２にコルゲート加工がされたものを用いて、マイナスイオン発生シート１１に可撓性と屈曲性を持たせている。これにより、マイナスイオン発生シート１１を身体に密着させることができるようになる。また、コルゲート加工がされた多孔性シート１２の凹凸により、柔らかな圧接刺激を身体に与えることもできる。そして、コルゲート加工された多孔性シート１２と、フラットな多孔性シート１３との間に形成される凹部１６内に、セラミック粉末と椰子殻活性炭粒子とがそれぞれ２：１の割合で配合されてなるマイナスイオン発生組成物１７が充填されている。
図３には、本実施例に係るマイナスイオン発生シート１１の表面を、織物からなる布製被覆材２０で被覆したものが示されている。マイナスイオン発生シート１１の表面を布製被覆材２０で被覆することで、マイナスイオン発生シートを身体の所望の位置に保持することができるようになる。
【００５４】
次に、上記実施例１及び実施例２に示したマイナスイオン発生シート１１を、身体に適用した具体例を示す。
【００５５】
図４には、本発明のマイナスイオン発生シートをバンダナ２０、アイマスク３０、腰部のウエストベルト４０、手首に巻くリストバンド５０、踝、足首に巻き付けるベルト６０に適用した例が示されている。
【００５６】
図５に示すウエストベルト４０は、布製被覆材（織物）１８で被覆した２枚のマイナスイオン発生シート１１と、これを繋ぐ長さ調節用ゴム４１と、該ウエストベルト４０を身体Ｂの腰部に巻き付けたとき、この状態で両端部を連結する連結ベルト４２とからなる。連結ベルト４２の先端には雄または雌の面ファスナー４３Ａが取り付けてあり、その先端が重なるマイナスイオン発生シート１１の端部に取り付けた雌または雄の面ファスナー４３Ｂと係合して、連結ベルト４２の先端がマイナスイオン発生シート１１の端部に所望の重なり幅（長さ）で固定されるようになっている。尚、この形態では、実施例２のマイナスイオン発生シート１１を用いている。
【００５７】
このように作製されるウエストバンド４０を身体Ｂに装着すると、マイナスイオン発生シート１１の積層構造体１４の凹部１６内に充填されるセラミック粉末と椰子殻活性炭粒子から発生する強力なマイナスイオン及び遠赤外線が、多孔性シート１２及び布製被覆材１８を通して身体Ｂに伝わり、身体Ｂにマイナスイオン効果及び遠赤外線効果が現れるようになっている。また、マイナスイオン発生シート１１を身体Ｂに当てることで、マイナスイオン発生シート１１内に充填される椰子殻活性炭粒子１８ａが、身体Ｂの汗や体臭の粒を吸着除去するようになっている。また、マイナスイオン発生シート１１の凹凸による柔らかな圧接刺激も身体Ｂに伝わるようになっている。
【００５８】
図６は手首に巻くリストバンド５０を示し、図７は踝、足首に巻き付けるベルト６０を示している。図６のリストバンド５０及び図７のベルト６０のいずれも、実施例２におけるコルゲート加工がされた多孔性シート１２を用いたマイナスイオン発生シート１１を、布製被覆材１８で被覆したものを用い、このマイナスイオン発生シート１１の一端に連結ベルト５１または６１を取り付けたものである。この連結ベルト５１または６１の先端には雄または雌の面ファスナー５２Ａまたは６２Ａが取り付けられている。そして、図４、及び図６または図７に示すように、該リストバンド５０またはベルト６０を、それぞれ手首または踝、足首に巻き付け、マイナスイオン発生シート１１の他端に取り付けた雌または雄の面ファスナー５２Ｂまたは６２Ｂと係合させることで、該リストバンド５０またはベルト６０の装着ができるようになっている。
【００５９】
リストバンド５０またはベルト６０を身体Ｂに装着した時の作用効果は、これらを装着した身体（手首または踝、足首）に、マイナスイオン発生組成物による強力なマイナスイオン効果と遠赤外線効果の他に、マイナスイオン発生シート１１の凹凸による柔らかな圧接刺激とが加わり、さらに椰子殻活性炭粒子による脱臭効果がこれに加わるようになっている。
【００６０】
図８は、実施例２におけるマイナスイオン発生シート１１を布製被覆材１８で被覆したものを用いて、これをアイマスク３０に適用した例を示すものである。図８に示すように、このアイマスク３０は、布製被覆材１８で被覆したマイナスイオン発生シート１１の両端を長さ調節用ゴム３１で繋いだものである。この場合も同様に、これを装着した身体Ｂ（顔面、特に目部）に、セラミック粉末による強力なマイナスイオン効果と、椰子殻活性炭粒子による遠赤外線効果及び脱臭効果と、さらにマイナスイオン発生シート１１の凹凸による柔らかな圧接刺激が加わるようになっている。
【００６１】
図９は、実施例２のマイナスイオン発生シート１１を布製被覆材１８で被覆したものを用いたバンダナ（はちまき）２０を示すものである。この場合も同様に、これを装着した身体Ｂ（頭部）に、セラミック粉末による強力なマイナスイオン効果と、椰子殻活性炭粒子による遠赤外線効果、脱臭効果が加わり、さらに、マイナスイオン発生シート１１の凹凸による柔らかな圧接刺激がこれに加わるようになっている。
【００６２】
図１０は、実施例２のマイナスイオン発生シート１１を寝具用シーツ８０に適用したものであり、図１１は、実施例２のマイナスイオン発生シート１１をスリッパ９０に適用したものである。
【００６３】
図１０に示す寝具用シーツ８０の場合、このシーツ８０上に寝たとき、セラミック粉末による強力なマイナスイオン効果と、炭粉末としての椰子殻活性炭粒子による遠赤外線効果、脱臭効果が加わり、さらに身体Ｂにマイナスイオン発生シート１１の凹凸による柔らかな圧接刺激がこれに加わるようになっている。
【００６４】
図１１に示すスリッパ９０の場合、土踏まずの位置にマイナスイオン発生シート１１が配されており、スリッパ９０を利用するたび毎にマイナスイオン発生シート１１に充填されるマイナスイオン発生組成物を構成するセラミック粉末より発生するマイナスイオンが足に伝達されるとともに、マイナスイオン発生シートの凹凸による柔らかな圧接刺激が加わるようになっている。
【００６５】
また、スリッパ８０を履くときに、マイナスイオン発生組成物を構成する椰子殻活性炭粒子による脱臭効果により足の臭いが吸着除去され、さらに遠赤外線効果により温熱効果で冷え性にも効果的である。
【００６６】
図１２は、実施例１のマイナスイオン発生シート１１を枕１００に適用したものである。図１２に示すように、枕は、４層縦横メッシュから山型に形成されてなる頭載部１０１と、底面を形成する底板部１０２と、圧縮空気が封入されて頭載部と底板部との間に配設される図示しないクッション部材とを備えている。そして、底板部１０２の上面には、実施例１のマイナスイオン発生シート１１が配設されている。
【００６７】
この枕１００によれば、底板部１０２に配設したマイナスイオン発生シート１１から発生する強力なマイナスイオンと遠赤外線とが、頭載部１０１を通過して頭部や首、肩に伝達されて肩や首のこりを解消することができるとともに、頭部の周囲にもマイナスイオンと遠赤外線とが充満することとなるので、リラクゼーション効果を奏することができる。さらに、椰子殻活性炭粒子による脱臭効果によって、汗の臭いや体臭を吸着除去することができるようになる。
【００６８】
図１３は、実施例１のマイナスイオン発生シートを、畳１１０に適用した例を示すものである。この畳１１０は、畳表１１１と畳床１１２との間に、実施例１のマイナスイオン発生シートを配設したものである。このように、マイナスイオン発生シート１１を用いた畳を室内に敷くことで、畳から強力なマイナスイオンと遠赤外線が常時室内に放出されて、シックハウス症候群の原因となるホルムアルデヒド等の有害物質や悪臭が分解・除去され、快適な生活環境を作り出すことができるようになる。
【００６９】
また、本発明のマイナスイオン発生シート１１は、上に例示したものに限らず、枕カバーや靴の中敷きなどにも適用することもできる。
【００７０】
次に、本発明に係る化粧品について詳述する。
【００７１】
本発明に係る化粧品は、化粧水、乳液、スキンクリーム、ヘアクリーム、マッサージジェル等の基礎化粧品や、石けん、頭髪用シャンプー、リンス、ボディーシャンプー、ハンドソープ、洗顔剤等の身体洗浄剤であって、上記のマイナスイオン発生組成物を含有するものである。これら各種化粧品は、既存の処方によって作製される製剤に、マイナスイオン発生組成物を混合させることによって作製することができる。セラミック粉末と炭粉末との配合比及びベースとなる製剤への配合量も特に限定されるものではなく、製剤の種類に応じて適宜設定すればよいが、使用感等を考慮してベースとなる化粧品に対して１〜２０重量％の範囲で配合することが好ましい。１重量％以下であると十分なマイナスイオン効果の実効性に欠け、２０％重量％以上であるとざらつき感が出て使用感が損なわれるからである。
【００７２】
以下に、本発明に係る化粧品の実施の一例として、マイナスイオン発生組成物が配合された人体塗布用のクリーム及びジェルについて説明する。
【実施例３】
【００７３】
まず、本実施例に係るクリーム及びジェルは、それぞれ表１及び表２に示す成分からなる。
【００７４】
【表１】
2005097407.tif 000003
【００７５】
【表２】
2005097407.tif 000004
表１に示す成分より構成されるクリーム及びジェルは、人体塗布用として用いられるクリームの一般的な組成である。クリーム及びジェルを構成する各成分の割合は、使用態様等に応じて適宜設定されるものであり、表１以外の成分を添加してもよいし、あるいはこれらのいずれかの成分を除いてもよい。
【００７６】
そして、これら成分より作製されるクリーム及びジェルにマイナスイオン発生組成物が配合されるのであるが、ここで配合されるマイナスイオン発生組成物は、粒子径０．３μｍのセラミック粉末と粒子系０．１μｍの椰子殻活性炭粒子とがそれぞれ７：１の割合で配合されてなり、クリーム及びジェル１００重量部に対して１０重量部の割合で配合される。
【００７７】
このようにマイナスイオン発生組成物が配合されたクリームを皮膚に塗布すると、マイナスイオン発生組成物より放出されるマイナスイオンと、椰子殻活性炭粒子から放出される遠赤外線とが皮膚の内部へと吸収されて細胞が活性化し、肌に潤いや美白等の美肌効果を与えることができる。
【図面の簡単な説明】
【００７８】
【図１】実施例１に係るマイナスイオン発生シートを示す要部拡大断面図である。
【図２】実施例２に係るマイナスイオン発生シートを示す要部拡大断面図である。
【図３】実施例２に係るマイナスイオン発生シートの別例を示す要部拡大断面図である。
【図４】本発明に係るマイナスイオン発生シートを身体に適用した例を示す図である。
【図５】実施例２のマイナスイオン発生シートをウエストベルトに適用した例を示す斜視図である。
【図６】実施例２のマイナスイオン発生シートをリストバンドに適用した例を示す斜視図である。
【図７】実施例２のマイナスイオン発生シートを踝、足首に巻き付けるベルトに適用した例を示す斜視図。
【図８】実施例２のマイナスイオン発生シートをアイマスクに適用した例を示す斜視図である。
【図９】実施例２のマイナスイオン発生シートをバンダナに適用した例を示す斜視図である。
【図１０】実施例２のマイナスイオン発生シートを寝具用シーツに適用した例を示す平面図である。
【図１１】実施例２のマイナスイオン発生シートをスリッパに適用した例を示す斜視図である。
【図１２】実施例１のマイナスイオン発生シートを枕に適用した例を示す斜視図である。
【図１３】実施例１のマイナスイオン発生シートを畳に適用した例を示す斜視図である。
【符号の説明】
【００７９】
１１・・・マイナスイオン発生シート
１２、１３・・・多孔性シート
１４・・・積層構造体
１５・・・内部
１６・・・凹部
１７・・・マイナスイオン発生組成物
１８・・・布製被覆材
【図１】
2005097407.tif 000005
【図２】
2005097407.tif 000006
【図３】
2005097407.tif 000007
【図４】
2005097407.tif 000008
【図５】
2005097407.tif 000009
【図６】
2005097407.tif 000010
【図７】
2005097407.tif 000011
【図８】
2005097407.tif 000012
【図９】
2005097407.tif 000013
【図１０】
2005097407.tif 000014
【図１１】
2005097407.tif 000015
【図１２】
2005097407.tif 000016
【図１３】
2005097407.tif 000017